(57)【要約】【課題】  表示手段と装飾部材との位置決めを確実に行い、商品性を向上させることが可能な表示装置を提供する。【解決手段】  所定情報を表示する表示部１１ａを備えた表示素子１１と表示素子１１を収容するとともに表示部１１ａに対応するように表示窓部１４ｃが形成された導電性のフレーム体１６とを有する表示手段１０と、表示部１１ａを包囲するように表示手段１０に固定される装飾部材３０とを備えた表示装置において、装飾部材３０に複数の位置決め凸部３２を設け、フレーム体１６に複数の位置決め凸部３２がそれぞれ位置決め固定される複数の位置決め凹部１４ｄを設けた。【選択図】図２
2016176728.tif 000002
【特許請求の範囲】
【請求項１】
所定情報を表示する表示部を備えた表示素子と前記表示素子を収容するとともに前記表示部に対応するように表示窓部が形成された導電性のフレーム体とを有する表示手段と、
前記表示部を包囲するように前記表示手段に固定される装飾部材とを備えた表示装置において、
前記フレーム体と前記装飾部材とのうち何れか一方に複数の位置決め部を設け、他方に前記複数の位置決め部がそれぞれ位置決め固定される複数の被位置決め部を設けたことを特徴とする表示装置。
【請求項２】
所定情報を表示する表示部を備えた表示素子と前記表示素子を収容するとともに前記表示部に対応するように表示窓部が形成された導電性のフレーム体とを有する表示手段と、
前記表示部を包囲するように前記表示手段に固定される装飾部材とを備えた表示装置において、
前記フレーム体と前記装飾部材とのうち何れか一方に他方側に突出する複数の突出部を設け、
前記他方側には前記複数の突出部がそれぞれ当接する複数の当接部を設けたことを特徴とする表示装置。
【発明の詳細な説明】
【技術分野】
【０００１】
本発明は、例えば自動車等の車両に搭載された表示装置に関するものである。
【背景技術】
【０００２】
従来より、この種の表示装置にあっては、例えば下記特許文献１に記載されているものが知られている。この特許文献１に記載の表示装置は、車両に搭載された車両用計器からなり、指針と文字板とでなる情報表示体と、指針や文字板に形成された数字等の指標部を包囲するように情報表示体の前方側に配置されるリング状の装飾部材と、情報表示体の背後側に配置される硬質の回路基板と、この回路基板と文字板との間に配置される樹脂製のケース体とを備え、ケース体は、情報表示体を正視した際に文字板の周囲にはみ出るように設けられる水平壁部を有し、装飾部材に形成されたフック部からなる係止突起が当該係止突起に対応するように水平壁部に設けられた係止孔に係止されることで、装飾部材がケース体にフック固定される構成となっている。
【先行技術文献】
【特許文献】
【０００３】
【特許文献１】特開２００５−２２７２５８号
【発明の概要】
【発明が解決しようとする課題】
【０００４】
ところで、特許文献１に記載の表示装置において、情報表示体を車両情報を表示可能なＴＦＴ型の液晶表示パネルからなる計器用ディスプレイ（表示手段）とした場合、例えばケース体に計器用ディスプレイを保持するための窪み形状からなる凹部を設け、計器用ディスプレイを凹部内部に収容するとともに、装飾部材とケース体とを上述したフック固定にて固定する構成が考えられる。
【０００５】
しかしながら、このような構成の場合、計器用ディスプレイ（表示手段）と装飾部材との位置決めを行うにあたって、位置決め用の中継部品（つまりケース体）を用いる必要があり、例えばケース体成形時におけるケース体の各部（例えば凹部や係止孔）の寸法公差等に起因して、計器用ディスプレイに対する装飾部材の配設位置が正規の位置とはならず、装飾部材が当該正規の位置から位置ズレした状態で設置されてしまうことがあった。このため、表示装置としての商品性を上げるべく、当該位置ズレが極力なくなる（最小限となる）ように、計器用ディスプレイと装飾部材との位置決めを確実に行うことが望まれていた。
そこで本発明は、前述の課題に対して対処するため、表示手段と装飾部材との位置決めを確実に行い、商品性を向上させることが可能な表示装置の提供を目的とするものである。
【課題を解決するための手段】
【０００６】
本発明は、所定情報を表示する表示部を備えた表示素子と前記表示素子を収容するとともに前記表示部に対応するように表示窓部が形成された導電性のフレーム体とを有する表示手段と、前記表示部を包囲するように前記表示手段に固定される装飾部材とを備えた表示装置において、前記フレーム体と前記装飾部材とのうち何れか一方に複数の位置決め部を設け、他方に前記複数の位置決め部がそれぞれ位置決め固定される複数の被位置決め部を設けたことを特徴とする。
【０００７】
また本発明は、所定情報を表示する表示部を備えた表示素子と前記表示素子を収容するとともに前記表示部に対応するように表示窓部が形成された導電性のフレーム体とを有する表示手段と、前記表示部を包囲するように前記表示手段に固定される装飾部材とを備えた表示装置において、前記フレーム体と前記装飾部材とのうち何れか一方に他方側に突出する複数の突出部を設け、前記他方側には前記複数の突出部がそれぞれ当接する複数の当接部を設けたことを特徴とする。
【発明の効果】
【０００８】
本発明によれば、初期の目的を達成でき、表示手段と装飾部材との位置決めを確実に行い、商品性を向上させることが可能な表示装置を提供できる。
【図面の簡単な説明】
【０００９】
【図１】本発明の第１実施形態による表示装置の正面図。
【図２】図１のＡ−Ａ断面図。
【図３】図２中、Ｂ部を拡大して示す要部拡大断面図。
【図４】本発明の第２実施形態による表示装置の断面図。
【図５】同第２実施形態による装飾部材とフレーム体との位置関係を示す図。
【図６】同第２実施形態の変形例による表示装置の断面図。
【図７】同第２実施形態の他の変形例による表示装置の要部拡大断面図。
【図８】同第２実施形態の他の変形例による前面フレームの正面図。
【発明を実施するための形態】
【００１０】
（第１実施形態）以下、図１〜図３に基づいて、本発明の表示装置を車両に搭載される車両用計器に適用した場合を例に挙げて説明する。
【００１１】
図１、図２において、本実施形態による表示装置としての車両用計器Ｄは、各種車両情報を表示可能な計器用ディスプレイとしての表示手段１０と、この表示手段１０の表面側（視認者側）に配置される前面パネル２０と、この前面パネル２０の表面側に配置される略リング状の装飾部材３０と、表示手段１０の背後側（視認者側とは反対側）に位置する配線基板４０とを備えている。
【００１２】
表示手段１０は、表示素子１１と、この表示素子１１のソース線（信号線）を駆動するソース線駆動回路（図示せず）と、表示素子１１のゲート線（走査線）を駆動するゲート線駆動回路（図示せず）と、導光体１２ａや光源１２ｂ、第１のフレキシブル配線板１２ｃ等から構成され、表示素子１１に照明光を導くための照明手段１２と、表示素子１１及び導光体１２ａを保持する略平板状の白色樹脂からなる樹脂ケース１３と、前面フレーム１４と背面フレーム１５とでなり、表示手段１０の外装ケースを構成する導電性のフレーム体１６と、配線基板４０に搭載された制御手段（図示せず）からの指令信号に基づいて、前記ソース線駆動回路並びに前記ゲート線駆動回路のタイミングを制御する各種タイミング信号を生成するタイミングコントローラ（図示せず）等が搭載された回路基板１７とを有している。
【００１３】
そして、この場合、前面フレーム１４とこの前面フレーム１４と対をなす背面フレーム１５とから構成されるフレーム体１６は、その内部に表示素子１１や導光体１２ａ、光源１２ｂ、樹脂ケース１３等を収納（収容）し、また回路基板１７は、背面フレーム１５の後述する底面部の背面に適宜固定手段を用いて固定されている。
【００１４】
なお、必要に応じて、表示素子１１を略均一にバックライト照明するための光学部材（例えば拡散シートやプリズムシート）を表示素子１１と導光体１２ａとの間に１つ以上配置してもよい。
【００１５】
表示素子１１は、例えば複数の画素を有するＴＦＴ型の液晶表示素子からなり、車両に搭載された各種センサからの検出信号に基づいて、車速やエンジン回転数、走行距離、燃料消費等の各種車両情報（所定情報）を表示する表示部１１ａを備えている。この表示部１１ａは、表示素子１１の表示領域（図示せず）に表示される。
【００１６】
導光体１２ａは、略平板状の透光性合成樹脂からなり、表示素子１１の背面に沿うように配置される。別の言い方をすれば、導光体１２ａは、光源１２ｂから表示素子１１へと至る照明光路中に配置されていることになる。
【００１７】
光源１２ｂは、適宜色を発するチップ型発光ダイオードからなり、導光体１２ａの一側面１２ｄに沿うように列状に複数個配置され、表示素子１１に照明光を供給する発光体からなる。
【００１８】
前面フレーム１４は、導電性材料からなり、略枠状にプレス成形され、その主要部をなす前面部１４ａと、この前面部１４ａの周縁から下方に向けて垂下形成された第１の周壁部１４ｂとが一体形成された構成となっている。そして、前面部１４ａの略中央部には、表示部１１ａに対応するように略矩形状の開口窓からなる表示窓部１４ｃが形成されている。
【００１９】
なお、１４ｄは、装飾部材３０に備えられる複数の位置決め凸部（後述する）に各々対応するように設けられる複数の位置決め凹部（被位置決め部）であり、この位置決め凹部１４ｄは、略凹部形状に形成され、前記位置決め凸部と凹凸嵌合するように構成される。この場合、位置決め凹部１４ｄは、装飾部材３０（後述する本体部）の形状に沿うように等間隔で４箇所設けられており、ここでの詳細図示は省略するが、時計で例えるとおおよそ１２時、３時、６時、９時の位置にそれぞれ設けられているものとする。
【００２０】
背面フレーム１５は、前面フレーム１４と同様に導電性材料からなり、断面略凹部形状にて形成され、その主要部をなす底面部１５ａと、この底面部１５ａの周縁から第１の周壁部１４ｂ側に向けて突出形成された第２の周壁部１５ｂとが一体形成された構成となっている。
【００２１】
そして、図２中、右方に位置する第２の周壁部１５ｂの内壁面１５ｃには、第１のフレキシブル配線板１２ｃが適宜固定手段を用いて固定され、各光源１２ｂは、導光体１２ａの一側面１２ｄと対向するように第１のフレキシブル配線板１２ｃに設けられる導電路（図示せず）に実装される。
【００２２】
なお、図２中、１７ａは、回路基板１７に実装される第１のコネクタであり、この第１のコネクタ１７ａと配線基板４０に実装された第２のコネクタ４１とは第２のフレキシブル配線板Ｆによって導通接続されている。
【００２３】
前面パネル２０は、薄板状に形成された光透過性の基板２１と、表示素子１１の前記表示領域を除いた透光性基板２１の背面箇所に印刷形成された黒色の地色部２２とを有している。なお、２３は、装飾部材３０に備えられる後述する複数個の位置決め凸部がそれぞれ貫通する貫通孔からなる孔部である。
【００２４】
装飾部材３０は、前面パネル２０を間に挟むように表示手段１０上に配置された装飾リングからなり、例えば合成樹脂材料にて形成された略円環状の本体部３１と、この本体部３１の表面に塗装等によって形成された金属色調（例えば銀色）の金属層（図示せず）とを有し、本体部３１の背面には、表示手段１０側に向けて突出形成（垂下形成）された複数の位置決め凸部（位置決め部）３２が設けられている（図３参照）。
【００２５】
この場合、位置決め凸部３２は、凸状の位置決めピン（リブ）からなり、本体部３１に沿うように等間隔で４箇所設けられており、ここでの詳細図示は省略するが、時計で例えると位置決め凹部１４ｄと同様におおよそ１２時、３時、６時、９時の位置にそれぞれ設けられているものとする。
【００２６】
そして、各位置決め凸部３２が、前面パネル２０の各孔部２３を貫通して、前面フレーム１４の前面部１４ａに設けられた各位置決め凹部１４ｄにそれぞれ位置決め固定されることで、装飾部材３０が表示部１１ａを包囲するように表示手段１０に固定される構成となっている。
【００２７】
配線基板４０は、例えばガラスエポキシ系基材に所定の配線パターン（図示せず）が施された硬質回路基板からなり、例えば表示素子１１を表示動作させるための前記指令信号や光源１２ｂを点灯動作させるための他の指令信号を出力する前記制御手段と、第２のコネクタ４１と、抵抗、コンデンサ等の回路部品（図示せず）とが前記配線パターンに導通接続されている。
【００２８】
以上のように本実施形態では、前記所定情報を表示する表示部１１ａを備えた表示素子１１と表示素子１１を収容するとともに表示部１１ａに対応するように表示窓部１４ｃが形成された導電性の前面フレーム１４（フレーム体１６）とを有する表示手段１０と、表示部１１ａを包囲するように表示手段１０に固定される装飾部材３０とを備えた車両用計器Ｄにおいて、装飾部材３０に複数個の位置決め凸部３２を設け、表示手段１０（前面フレーム１４）に複数個の位置決め凸部３２がそれぞれ位置決め固定される複数個の位置決め凹部１４ｄを設けたものである。
【００２９】
従って、フレーム体１６（表示手段１０）と装飾部材３０との位置決めを行うにあたって、従来のように位置決め用の中継部品を用いることが不要となり、単に装飾部材３０の各位置決め凸部３２が表示手段１０の各位置決め凹部１４ｄに各々凹凸嵌合されるだけで、フレーム体１６（表示手段１０）に対する装飾部材３０の配設位置が正規の位置となるように、装飾部材３０がフレーム体１６（表示手段１０）に直接、位置決め固定される構成となる。つまり、本発明では、装飾部材３０が当該正規の位置から位置ズレした状態で設置されてしまう虞がないように、表示手段１０と装飾部材３０との位置決めが確実に行われる構成となるため、車両用計器Ｄとしての商品性を向上させることが可能となる。
【００３０】
また本実施形態では、位置決め凸部（位置決め部）３２が凸状の位置決めピンからなり、位置決め凹部（被位置決め部）１４ｄが凹部形状からなり、位置決め凸部３２が位置決め凹部１４ｄに位置決め固定される例について説明したが、位置決め部３２や被位置決め部１４ｄの形状は、位置決め部３２が被位置決め部１４ｄに位置決め固定される構成であれば、あらゆる形状を採用することができ、例えば詳細図示は省略するが位置決め部３２を逆三角形状のリブ（突起部）とし、被位置決め部１４ｄを前記三角形状のリブが嵌合するようなＶ字状の溝部としてもよい。
【００３１】
また本実施形態では、装飾部材３０（本体部３１）に複数の位置決め凸部３２を設け、表示手段１０（前面フレーム１４）に複数の位置決め凸部３２がそれぞれ位置決め固定される複数の位置決め凹部１４ｄを設けた例について説明したが、例えばこれとは逆に装飾部材３０側に位置決め凹部を設け、表示手段１０側に位置決め凸部を設けてもよい。つまり、本発明は、フレーム体１６（前面フレーム１４）と装飾部材３０とのうち何れか一方に複数の位置決め部を設け、他方に当該複数の位置決め部がそれぞれ位置決め固定される複数の被位置決め部を設けた構成であればよいことになる。
【００３２】
なお、本実施形態では、複数の位置決め凸部３２及び複数の位置決め凹部１４ｄが略円環状の本体部３１に沿うように等間隔で４箇所設けられている例について説明したが、位置決め凸部３２及び位置決め凹部１４ｄの形成個数は、本体部３１に沿うように２個以上設けてあればよい。例えば時計で例えると位置決め凸部３２及び位置決め凹部１４ｄを１２時、４時、８時の位置に３箇所設ける構成とすることが考えられる。
【００３３】
（第２実施形態）次に、本発明の第２実施形態を図４、図５に基づいて説明するが、前述の第１実施形態と同一もしくは相当個所には同一の符号を用いてその詳細な説明は省略する。
【００３４】
この第２実施形態では、前記第１実施形態にて採用した複数個の位置決め凸部３２に代えて装飾部材３０（本体部３１）に複数個の突出部３３を設け、これら突出部３３を略枠状に形成された４つの第１の周壁部１４ｂの外周面Ｐ１にそれぞれ当接（面接触）させることで、表示手段１０と装飾部材３０との位置決めが行われる構成となっている。なお、この場合、前記第１実施形態にて採用した位置決め凹部１４ｄは廃止されている。
【００３５】
突出部３３は、図４に示すように本体部３１の背面から表示手段１０側に向けて突出形成（垂下形成）された凸状のリブからなり、本体部３１に沿うように等間隔で４箇所設けられており、前記第１実施形態と同様に、時計で例えると１２時、３時、６時、９時の位置にそれぞれ設けられているものとする（図５参照）。
【００３６】
そして、この第２実施形態において、表示手段１０と装飾部材３０とを固定するにあたっては、例えば前面フレーム１４の前面部１４ａと各突出部３３とが向かい合うように、表示手段１０と装飾部材３０とを位置合わせし、この状態から装飾部材３０を表示手段１０側に向けて平行移動させると、やがて略枠状に形成された第１の周壁部１４ｂにおける４つの外周面Ｐ１の略中央領域に各突出部３３がそれぞれ当接する状態となる。なお、以下の説明では、この各突出部３３が当接する外周面Ｐ１の略中央部領域を当接部１８として説明する。
【００３７】
従って、本第２実施形態によれば、フレーム体１６（前面フレーム１４）と装飾部材３０とのうち、一方側である装飾部材３０に表示手段１０側に突出する複数（例えば４つ）の突出部３３を設け、他方側である表示手段１０側（つまり前面フレーム１４）には複数の突出部３３がそれぞれ当接する複数（例えば４つ）の当接部１８を設けたことで、これら複数（例えば４つ）の当接部１８によって略枠状に形成された前面フレーム１４（フレーム体１６）を四方から挟み込むことが可能となるため、表示手段１０に対する装飾部材３０の配設位置が正規の位置となるように、装飾部材３０が表示手段１０に直接、位置決め固定される構成となり、前記第１実施形態と同様の作用効果を得ることができる。
【００３８】
また本第２実施形態では、装飾部材３０（本体部３１）に複数の突出部３３を設け、これら突出部３３が表示手段１０（前面フレーム１４）における第１の周壁部１４ｂの外周面Ｐ１（当接部１８）に各々当接している例について説明したが、例えば本第２実施形態の変形例として図６に示すように、各突出部３３を外周面Ｐ１ではなく、４つの第１の周壁部１４ｂの内周面Ｐ２にそれぞれ当接させてもよい。
【００３９】
この場合、複数（例えば４つ）の突出部３３に対応する前面部１４ａ箇所に複数（当該突出部３３の形成個数と同数）の貫通孔部１４ｅをそれぞれ設け、各突出部３３を孔部２３及び各貫通孔部１４ｅに貫通させ、各貫通孔部１４ｅから配線基板４０側に向けて突出した各突出部３３の突出端部を内周面Ｐ２に各々当接させる構成となる。
【００４０】
また、ここでの貫通孔部１４ｅの形成位置は、上述した第２実施形態における突出部３３の形成位置と同様に、時計で例えると１２時、３時、６時、９時の位置にそれぞれ設けられているものとする。よって、ここでの詳細図示は省略するが、前記第２実施形態と同様に、各突出部３３は、４つの内周面Ｐ２の略中央部領域に位置することになる４つの当接部１９とそれぞれ当接する構成となる（図６の断面図では説明を簡略化するために２つの当接部１９のみを図示している）。
【００４１】
従って、本第２実施形態の変形例においても、装飾部材３０に表示手段１０側に突出する複数（例えば４つ）の突出部３３を設け、表示手段１０側（つまり前面フレーム１４）には複数の突出部３３がそれぞれ当接する複数（例えば４つ）の当接部１９を設けたことで、装飾部材３０が表示手段１０に直接、位置決め固定される構成となり、前記第１、第２実施形態と同様の作用効果を得ることができる。
【００４２】
また前記第２実施形態では、装飾部材３０側に複数の突出部３３を設け、表示手段１０側（前面フレーム１４側）に複数の突出部３３がそれぞれ当接する複数の当接部１８、１９を設けた例について説明したが、例えば本第２実施形態の他の変形例として図７、図８に示すように、前面フレーム１４側に突出部を設け、装飾部材３０側に当該突出部が当接する当接部を設けてもよい。
【００４３】
この他の変形例において、装飾部材３０は、断面逆Ｕ字形状に形成され、表示部１１ａを包囲するように設けられる内側環状壁部５１と、この内側環状壁部５１を包囲するように設けられる外側環状壁部５２と、内側環状壁部５１と外側環状壁部５２とを繋ぐ曲面壁部５３とを有し、孔部２３を塞ぐように前面パネル２０上に載置（配置）される。
【００４４】
そして、前面フレーム１４の前面部１４ａには曲面壁部５３側に向けて、凸状のリブからなる複数の突出部１４ｆが突出形成されており、各突出部１４ｆが孔部２３を貫通して、外側環状壁部５２の内周面Ｐ３にそれぞれ当接している。なお、この場合、突出部１４ｆは、図８に示すように略枠状に形成された前面部１４ａを構成する４つ（上下左右）の前面壁Ｒ１〜Ｒ４の略中央領域に各々設けられており、また内周面Ｐ３において、各突出部１４ｆと当接する当接部５４箇所は、時計で例えると、おおよそ１２時、３時、６時、９時の位置にそれぞれ位置する構成となる。
【００４５】
従って、本第２実施形態の他の変形例によれば、フレーム体１６（前面フレーム１４）と装飾部材３０とのうち、一方側である前面フレーム１４に他方側（装飾部材３０側）に突出する複数の突出部１４ｆを設け、他方側（装飾部材３０側）には複数の突出部１４ｆがそれぞれ当接する複数の当接部５４を設けたことで、装飾部材３０が表示手段１０に直接、位置決め固定される構成となり、前記第１、第２実施形態と同様の作用効果を得ることができる。
【符号の説明】
【００４６】
１０    表示手段
１１    表示素子
１１ａ  表示部
１４    前面フレーム
１４ａ  前面部
１４ｂ  第１の周壁部
１４ｃ  表示窓部
１４ｄ  位置決め凹部（被位置決め部）
１８    当接部
２０    前面パネル
２３    孔部
３０    装飾部材
３１    本体部
３２    位置決め凸部（位置決め部）
３３    突出部
４０    配線基板
Ｐ１    外表面
Ｐ２    内周面
【図１】
2016176728.tif 000003
【図２】
2016176728.tif 000004
【図３】
2016176728.tif 000005
【図４】
2016176728.tif 000006
【図５】
2016176728.tif 000007
【図６】
2016176728.tif 000008
【図７】
2016176728.tif 000009
【図８】
2016176728.tif 000010